(57)【要約】【課題】  拡散反射光下と正反射光下で異なる画像が出現する技術において、両方の反射光下における画像の視認性を向上させた偽造防止印刷物を提供する。【解決手段】  基材と異なる色彩を有する着色インキで形成された第一の画像と、着色インキと同じ色相の光輝性インキで形成された第二の画像が積層されて成り、拡散反射光下において現す第一の有意情報及び正反射光下において現す第二の有意情報の階調を基準とした場合、第一の画像は、濃淡を異ならせることにより、各々の階調が反転していない状態の第一の有意情報と第二の有意情報に区分けされ、第二の画像は、濃淡を異ならせることにより、階調が反転していない状態の第一の有意情報と、階調が反転した状態の第二の有意情報に区分けされ、第一の有意情報と第二の有意情報は、形状、大きさ及び配置位置が等しく形成されて成る。【選択図】  図２
2017065185.tif 000002
【特許請求の範囲】
【請求項１】
基材上の少なくとも一部に、拡散反射光下において第一の有意情報を現し、正反射光下において第二の有意情報を現す印刷画像を備え、
前記印刷画像は、前記基材と異なる色彩を有する着色インキで形成された第一の画像と、前記着色インキと同じ色相の光輝性インキで形成された第二の画像が積層されて成り、
前記拡散反射光下において現す第一の有意情報、及び正反射光下において現す第二の有意情報の階調を基準とした場合、
前記第一の画像は、濃淡を異ならせることにより、各々の階調が反転していない状態の第一の有意情報と第二の有意情報に区分けされ、
前記第二の画像は、濃淡を異ならせることにより、階調が反転していない状態の前記第一の有意情報と、階調が反転した状態の前記第二の有意情報に区分けされ、
前記第一の画像と前記第二の画像の各々の第一の有意情報と第二の有意情報は、形状、大きさ及び配置位置が等しく形成され、
拡散反射光下においては前記第一の有意情報が視認でき、正反射光下においては前記第一の有意情報が消失して第二の有意情報のみが視認できることを特徴とする偽造防止印刷物。
【請求項２】
前記印刷画像は、明暗フリップフロップ性又はカラーフリップフロップ性の少なくとも一方の特性を有するインキにより、前記第一の画像及び前記第二の画像の間に積層された第三の画像を備え、
前記第三の画像は、盛り上がりのある凸画線が万線状に配置され、前記万線状の凸画線の一部の配列方向が異なることで模様部と背景部に区分けされて第三の有意情報が形成されて成り、
拡散反射光と正反射光が混在する領域において前記第三の有意情報が更に視認できることを特徴とする請求項１記載の偽造防止印刷物。
【請求項３】
前記第二の画像の網点面積率の最大と最小の差が５０％を超えることを特徴とする請求項１又は２記載の偽造防止印刷物。
【発明の詳細な説明】
【技術分野】
【０００１】
本発明は、偽造防止効果を必要とする銀行券、パスポート、有価証券、身分証明書、カード、通行券等のセキュリティ印刷物の分野において、観察できる画像が、入射する光の角度に応じて異なる画像に変化する偽造防止印刷物に関わるものである。
【背景技術】
【０００２】
近年のスキャナ、プリンタ、カラーコピー機等のデジタル機器の進展により、貴重印刷物の精巧な複製物を容易に作製することが可能となっている。そのような複製や偽造を防止する偽造防止技術の一つとして、印刷物や観察角度によって画像が変化するホログラムに代表される光学的なセキュリティ要素を貼付したものが多く存在するようになった。
【０００３】
しかし、ホログラムは、インキを用いた印刷によって形成する従来の偽造防止技術とは異なり、複雑な製造工程と特殊な材料を用いて形成されることから、従来の偽造防止用印刷物と比較すると製造に手間がかかり、かつ、極めて高価である。このことから、金属インキや干渉マイカや酸化フレークマイカ、顔料コートアルミニウムフレーク、光学的変化フレーク等の特殊な光反射性粉体をインキや塗料に配合し、かつ、特殊な材料同士の重ね合わせや複雑な網点構成を用いることによって、ホログラムと同様な画像変化を実現した、一般的な印刷方法で形成可能な偽造防止用印刷物が出現している。
【０００４】
本出願人は、一般的、かつ、比較的安価な材料及び簡単な印刷手段を使用していながら、特定の観察角度において、印刷物中の特定部位における人の目に認識される情報が、観察角度を変化させることによって、全く別の情報に変化する偽造防止用情報担持体に係る発明を既に出願している（例えば、特許文献１、特許文献２、特許文献３及び特許文献４参照）。
【先行技術文献】
【特許文献】
【０００５】
【特許文献１】特許第３３９８７５８号公報
【特許文献２】特許第４６０４２０９号公報
【特許文献３】特許第５３５８８１９号公報
【特許文献４】特許第５２４５１０２号公報
【発明の開示】
【発明が解決しようとする課題】
【０００６】
特許文献１から特許文献４までに記載の技術は、拡散反射光下で視認されていた画像が、正反射光下で消失し、同時に、それまで視認されていた画像とは全く異なる画像が出現する、いわゆる画像のチェンジ効果に優れた技術である。拡散反射光下で視認されていた画像が消失する効果は、光輝性インキで形成された画像が正反射することで明度が上昇して全体に淡く変化し、画像全体の階調が圧縮されて目視上捉えられなくなることに起因する。しかしながら、コート紙や、アート紙のような高い平滑性を有する基材上に形成した場合、拡散反射光下で視認されていた画像が消失しきらない場合があった。
【０００７】
前述の問題を図１１に現して具体的に説明する。図１１に示す印刷物が、図５に示すような、拡散反射光下でアルファベットの「Ａ」の文字が視認され、正反射光下でアルファベットの「Ｂ」の文字が出現することを意図して設計された、特許文献１から４までに記載の偽造防止用情報担持体であると仮定する。この場合、一般的な上質紙や微塗工紙を基材とした場合、その設計が適切であれば、図１１（ａ）に示すように、拡散反射光下で視認されていたアルファベットの「Ａ」の文字は、正反射光下において完全に消失し、アルファベットの「Ｂ」の文字だけが視認できる。
【０００８】
一方、コート紙やアート紙等の平滑性の高い用紙を基材として特許文献１から４までに記載の偽造防止用情報担持体を形成した場合、その設計が適切であったとしても、図１１（ｂ）に示すように、拡散反射光下で視認されていたアルファベットの「Ａ」の文字が、正反射光下においても消失しきらず、拡散反射光下での階調がネガポジ反転した状態となって（本例においては、ネガ状態）、アルファベットの「Ｂ」の文字と重なって出現することがある。具体的には、正反射光下で出現させる画像以外の領域に、すなわちアルファベットの「Ｂ」の文字以外の領域に、拡散反射光下で視認されていた画像、すなわちアルファベットの「Ａ」の文字がネガポジ反転して見える状態となる。
【０００９】
これは、コート紙やアート紙等の平滑性の高い用紙は、総じて光沢度も高いことから、その上に光輝性インキで形成された画像から生じる反射光量は、基材からの反射光が加わって嵩上げされ、上質紙を基材とした場合に比べて著しく大きくなる。この反射光量が増大する現象自体は、画像の消失効果に大きく寄与することから、望ましいものである。しかしながら、平滑性の高い用紙は、基材表面が平坦であることから、その上に光輝性インキで形成された画像も平坦にならされ、結果、画像から生じる反射光は、ワイドに広がることなく、限定された角度範囲にシャープに伸びる。このため、光輝性インキによって高い網点面積率で形成された領域の強い反射光と、低い網点面積率で形成された領域の弱い反射光量は、観察者の視点が存在する空間中にそれぞれ単独に存在することとなり、結果として拡散反射光下で視認されていた画像の階調が消失しきらない状態となると考えられる。
【００１０】
なお、拡散反射光下で視認されていた画像の階調が、正反射光下においてネガポジ反転した状態となるのは、面積率が高い領域（色の濃い領域）の反射光量が大きくなって明度が高くなり、面積率が低い領域（色の淡い領域）の反射光量が小さくなって明度が低くなって濃淡が反転するためである。
【００１１】
一方、上質紙等を基材とした場合、基材表面が平坦ではなく、微細な凹凸によって乱れているため、画像から生じた反射光は、より広い範囲に大きく広がる傾向にあり、結果として強い反射光と弱い反射光が混在した状態となることで、拡散反射光下で視認されていた画像の階調が消失する傾向が強くなると考えられる（ただし、上質紙の場合、基材表面が大きく乱れている故に、光輝性インキで形成された画像から生じる反射光量もコート紙と比較すると低く抑えられるため、正反射光下で出現する画像の視認性は低くなる）。
【００１２】
以上のように、実際には上質紙のような平滑性の低い紙よりも、コート紙やアート紙のような平滑性の高い基材を用いたほうが、繊細な印刷が可能であって、出現する潜像も高い視認性を有して階調表現性にも優れるために、トータルの性能ははるかに高くなるが、前述のような、拡散反射光下で視認されていた画像が消失しきらず、ネガポジ反転した状態で出現する場合があるという１点において、平滑性の高い基材を用いた場合の問題があった。
【００１３】
さらに、特許文献１の技術に関しては、第１の印刷画像を構成する光輝性材料と第２の印刷画像を構成する色材料は色相が異なるため、拡散反射光下の観察において、本来視認されてはならない第２の印刷画像が見えてしまうという問題があり、また、第２の印刷画像は疎な面積率で構成されるため、正反射光下で出現する第２の印刷画像の視認性が低いという問題があった。
【００１４】
特許文献２及び特許文献３に記載の技術においては、光輝性材料と透明なインキを重ね合わせて偽造防止印刷物を形成する技術であり、潜像形成に色材料を用いる特許文献１の技術と異なり、潜像を形成するインキは透明であることから、そもそも色調整を行う必要がなく、また潜像が拡散反射光下で可視化されることもなく、画像のスイッチ性に優れる技術であったが、目視不可能な透明なインキを使用するために、製造時の印刷品質の管理が困難であるという課題があった。
【００１５】
そのための対策としては、透明なインキに紫外線励起タイプの発光顔料を混合した透明な発光インキを使用し、印刷作業時に紫外線を照射して透明インキが問題なく印刷されているか否かを判断するのが一般的であった。しかし、このような対策を用いた場合、製造時の品質管理は可能となる反面、紫外線照射時に出現する発光画像を見ることで、潜像の構成を容易に把握できてしまうことから、偽造者に偽造防止技術の構造の手掛かりを与えてしまう可能性があり、偽造に対する耐性に関して課題があった。
【００１６】
さらに、特許文献４に記載の技術は、光輝性材料と、光輝性材料と等色な有色インキをペアインキとしてそれぞれ二つの画像を構成し、二つの等色なインキの正反射光下での光学特性の差異を利用することで画像のチェンジ効果を実現した技術であるが、二つのインキで構成したそれぞれの画像は、互いに重なり合わないように嵌め合わせる、「毛抜き合わせ」と呼ばれる最高難度の刷り合わせが要求され、わずかでも刷り合わせのずれが生じた場合には、潜像画像が可視化されてしまう。偽造防止効果としては非常に高いものであったが、製造に当たっては高精度な印刷機と、熟練オペレータが必要であるという課題があった。
【００１７】
本発明は、前述した課題の解決を目的とするものであり、有色インキと、有色インキと色相が同じ光輝性インキをペアインキとして形成する、拡散反射光下と正反射光下で画像がチェンジする効果を有する印刷物であって、拡散反射光下において観察可能な画像の階調表現域を広くデザインした場合でも、明度が上がり過ぎずに、正反射光下において観察可能な画像に影響を及ぼさない、画像のチェンジ効果が高い偽造防止印刷物を提供する。
【課題を解決するための手段】
【００１８】
本発明は、基材上の少なくとも一部に、拡散反射光下において第一の有意情報を現し、正反射光下において第二の有意情報を現す印刷画像を備え、印刷画像は、基材と異なる色彩を有する着色インキで形成された第一の画像と、着色インキと同じ色相の光輝性インキで形成された第二の画像が積層されて成り、拡散反射光下において現す第一の有意情報及び正反射光下において現す第二の有意情報の階調を基準とした場合、第一の画像は、濃淡を異ならせることにより、各々の階調が反転していない状態の第一の有意情報と第二の有意情報に区分けされ、第二の画像は、濃淡を異ならせることにより、階調が反転していない状態の第一の有意情報と、階調が反転した状態の第二の有意情報に区分けされ、第一の画像と第二の画像の各々の第一の有意情報と第二の有意情報は、形状、大きさ及び配置位置が等しく形成され、拡散反射光下においては第一の有意情報が視認でき、正反射光下においては第一の有意情報が消失して第二の有意情報のみが視認できることを特徴とする偽造防止印刷物である。
【００１９】
また、本発明の偽造防止印刷物の印刷画像は、明暗フリップフロップ性又はカラーフリップフロップ性の少なくとも一方の特性を有するインキにより、第一の画像及び第二の画像の間に積層された第三の画像を備え、その第三の画像は、盛り上がりのある凸画線が万線状に配置され、万線状の凸画線の一部の配列方向が異なることで模様部と背景部に区分けされて第三の有意情報が形成されて成り、拡散反射光と正反射光が混在する領域において第三の有意情報が更に視認できることを特徴とする。
【００２０】
さらに、本発明の偽造防止印刷物は、第二の画像の網点面積率の最大と最小の差が、５０％を超えることを特徴とする。
【発明の効果】
【００２１】
本発明の偽造防止印刷物は、拡散反射光下において観察可能な第一の有意情報の階調表現域を広くデザインした場合でも、色の濃い領域においても明度が上がり過ぎずに、正反射光下において観察可能な第二の有意情報に影響を及ぼさないため、画像のチェンジ効果が高い。
【００２２】
特許文献１のような拡散反射光下の観察において、本来視認されてはならない第２の印刷画像（本発明でいう第二の有意情報）が視認されることはない。また、特許文献２及び特許文献３に記載の従来技術のような透明インキを使用しないため、従来技術のように潜像画像を発光させて管理する必要がなく、有色インキによって形成された画像の品質を目視で管理すればよい。そのため、二つの画像が重なり合って印刷画像が形成された場合には、その構成を見破ることは困難であって、偽造に対する耐性が高い。
【００２３】
本発明の偽造防止印刷物を構成する二つの画像は、各部の重なり合いの位置関係に決まりがあるため、基本的には一定の刷り合わせ精度を必要とする。しかしながら、それぞれを構成するインキ同士が重なり合っても問題ないため、通常の印刷作業で実施するように、画像の輪郭を太らせて二つの画像同士をわずかにオーバーラップさせることで刷り合わせの冗長性を確保することができる。したがって、特許文献４に記載の従来技術のように完全な毛抜き合わせによって画像同士を嵌め合わせる必要がなく、高い刷り合わせ精度を要求しないため、製造が容易である。
【００２４】
以上の手法で形成した偽造防止印刷物は、生産性の高い印刷方式であるオフセット印刷で製造可能であることからコストパフォーマンスに優れ、また最新のデジタル機器を用いたとしてもスイッチ効果を実現することは不可能であることから、偽造防止効果に優れる。
【図面の簡単な説明】
【００２５】
【図１】本発明における偽造防止印刷物を示す。
【図２】本発明における偽造防止印刷物の構成の概要を示す。
【図３】本発明における第二の画像の濃度の算出方法の概要図を示す。
【図４】本発明における偽造防止印刷物の層構造を示す。
【図５】本発明における偽造防止印刷物の効果を示す。
【図６】本発明における偽造防止印刷物を示す。
【図７】本発明における偽造防止印刷物の構成の概要を示す。
【図８】本発明における第三の画像の構成を示す。
【図９】本発明における偽造防止印刷物の層構造を示す。
【図１０】本発明における偽造防止印刷物の効果を示す。
【図１１】従来の技術における効果を示す。
【発明を実施するための形態】
【００２６】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
（第一の実施の形態）
【００２７】
まず、本発明について図面を用いて説明する。図１に、本発明における偽造防止印刷物（１）を示す。偽造防止印刷物（１）は、基材（２）の上に、基材（２）と異なる色彩を有する印刷画像（３）を有する。図１（ａ）に示す画像は、拡散反射光下における印刷画像（３）の中に見える画像であり、図１（ｂ）に示す画像は、正反射光が支配的な観察角度において印刷画像（３）の中に見える画像である。図１（ａ）に示すとおり、印刷画像（３）は、拡散反射光下では第一の有意情報（９）を現す。本実施の形態における第一の有意情報（９）とは、周囲より文字部が濃く現されたポジ状態のアルファベットの「Ａ」の文字である。
【００２８】
また、図１（ｂ）に示すとおり、正反射光が支配的な観察角度では、印刷画像（３）は第二の有意情報（１０）を現す。本実施の形態における、第二の有意情報（１０）とは、周囲より文字部が濃く現された、ポジ状態のアルファベットの「Ｂ」の文字である。なお、本発明で言う有意情報とは、前述のアルファベットに限らず、文字、記号、模様等、情報として認識可能であれば特に限定しない。
【００２９】
印刷画像（３）は、図２に示すように二つの画像が合成されて成る。二つの画像とは、第一の画像（４）と第二の画像（５）である。まず、第一の画像（４）について説明する。
【００３０】
第一の実施の形態においては、第一の画像（４）は、それぞれ階調が反転していない状態の第一の有意情報（９）と第二の有意情報（１０）を含んで成る。本実施の形態においては、第一の有意情報（９）とはポジ状態の「Ａ」の文字であり、第二の有意情報（１０）とはポジ状態の「Ｂ」の文字であるから、第一の画像（４）の中の第一の有意情報（９）と第二の有意情報（１０）は階調が反転していない状態、すなわち、ポジ状態のアルファベットの「Ａ」と「Ｂ」の文字を含んで成る。なお、本明細書中でいう「階調が反転している状態」及び「階調が反転していない状態」とは、拡散反射光下で視認される第一の有意情報（９）と正反射光下で視認される第二の有意情報（１０）の階調を基準として定義する。すなわち、拡散反射光下で視認される第一の有意情報（９）がポジの状態である本発明においては、ネガの状態を「階調が反転している状態」と呼び、ポジの状態を「階調が反転していない状態」と定義する。これは、第二の有意情報（１０）についても同様である。
【００３１】
まず、印刷画像（３）の濃淡の設計について説明する。印刷画像（３）中の濃淡の差異の設計値が大きいと拡散反射光下の第一の有意情報（９）の視認性は向上するが、逆に正反射光が支配的な観察角度で第一の有意情報（９）が消失しきらない場合がある。このため印刷画像（３）中の濃淡差に一定の制限を設ける必要がある。これは、第二の画像（５）に用いられる光輝性インキの性能の影響を受けるために一概には言えないが、印刷画像（３）中の濃淡差（最大反射濃度と最小反射濃度の差）が、主色成分の反射濃度で１．０を超える場合、いかに優れた光学特性を有する光輝性インキを用いたとしても、正反射光下で第一の有意情報（９）が消失しきらなくなる。以上のことから、印刷画像（３）中の濃淡差は、反射濃度で１．０以下とする必要がある。この濃淡差が反射濃度で１．０以下において、さらに、顕著な効果が見受けられたのは、複数の水準の結果より、０．７５以下であった。また、同様に正反射光が支配的な観察角度での第一の有意情報（９）の消失効果が劇的に低下することから、印刷画像（３）の中に基材（２）が目視できる大きさで完全に露出した領域を設けることは避ける必要がある。以上が、印刷画像の構成の概要である。
【００３２】
続いて、第一の画像（４）の構成について説明する。第一の画像（４）の中において、ポジ状態のアルファベットの「Ａ」と「Ｂ」の文字が存在するが、「Ａ」と「Ｂ」が重なり合った領域においては、第二の有意情報（１０）である「Ｂ」の文字の濃度で形成される。すなわち、第一の画像（４）内において、第一の有意情報（９）である「Ａ」の文字は、第二の有意情報（１０）である「Ｂ」の文字が存在しない領域にのみ配置される。
【００３３】
第一の画像（４）の濃淡について説明する。まず、第一の画像（４）は、印刷画像（３）の濃淡の中に完全に隠蔽される必要があることから、第一の画像（４）の最大反射濃度は、印刷画像（３）の最小反射濃度以下とする必要がある。また、第一の画像（４）の中の第一の有意情報（９）の濃度は、第一の画像（４）の中の第二の有意情報（１０）の濃度よりも低く、かつ、第二の画像（５）の中の第一の有意情報（９）の濃度よりも低い必要がある。第一の画像（４）の中の第一の有意情報（９）の濃度が前述の制約よりも高い場合、正反射光下で第一の有意情報（９）は階調が反転していない状態で可視化されてしまい、第一の有意情報（９）と同時に視認されてしまうため、避けなければならない。
【００３４】
第一の実施の形態の例においては、第一の画像（４）は、アルファベットの「Ａ」の文字と「Ｂ」の文字以外の背景を成す領域は，濃度ゼロの白抜きとして形成したが、第一の画像（４）の構成はこれに限定されるものではなく、背景も一定の濃度を有していてもよい。背景にも一定の濃度を付与する場合、正反射光下の第二の有意情報（１０）の視認性はやや低下するものの、印刷画像（３）のほとんどの領域が二つのインキの重ね合わせで構成されるため、使用する二つのインキの等色性に問題がある場合でも、印刷画像（３）の中では，インキの重ね合わせによって等色性を高めることができる。すなわち、第一の画像（４）の背景にも一定の濃度を付与する構成とは、効果を若干落として、製造容易性を高める形態であるといえる。ただし、第一の画像（４）の背景に一定の濃度を付与する場合でも、アルファベットの「Ａ」の文字と「Ｂ」の文字の濃度を超えると、第一の有意情報（９）及び第二の有意情報（１０）とネガポジが反転してしまう状態となるため、背景に濃度を付与する場合でもネガポジが反転しない濃度までに止める必要がある。
【００３５】
なお、本明細書中でいう「ポジ」とは、第一の実施の形態の例のように、文字や模様等が背景と別々に存在している例においては、文字や模様等が濃く、背景が淡い状態の濃淡の構成を指し、「ネガ」とは、文字や模様等が背景と別々に存在している例においては、文字や模様等が淡く、背景が濃い状態の濃淡の構成を指す。
【００３６】
また、文字や模様等が背景と別々に存在している例とは異なり、風景写真のように画像全体が階調を有している構成の場合、「ポジ」とは撮影された元の風景の濃淡と同じ状態で濃淡の構成を指し、「ネガ」とは元の風景の濃淡が反転した状態の濃淡の構成を指す。
【００３７】
第一の画像（４）において、第一の有意情報（９）及び第二の有意情報（１０）を形成するためには、濃淡を異ならせることで区分けする。なお、濃淡を異ならせる方法は、公知の技術により達成可能であり、例えば網点面積率を異ならせたり、印刷膜厚を異ならせたり、濃淡の異なる色材を用いる等の方法で可能である。
【００３８】
第一の画像（４）は、透明以外の基材と異なる色彩を有した着色インキで形成される。第一の画像（４）の色彩はいかなる色彩でも問題ない。この着色インキは、第二の画像（５）の形成で用いる光輝性インキと正反射光下における反射率に差異がある必要がある。これは、正反射光下で第二の有意情報（１０）を出現させ、かつ，その視認性を高める上で不可欠な要件である。光輝性インキは基本的に反射率の高いインキであるから、現実的には第一の画像（４）を形成する着色インキは、光輝性インキよりも反射率が低いことが望ましく、低いほど第二の有意情報（１０）の視認性は高まる。可能な限りマットであることが望ましいといえる。
【００３９】
第一の画像（４）は、オフセット印刷やフレキソ印刷、凸版印刷、グラビア印刷、凹版印刷、スクリーン印刷等のいかなる印刷方式で形成してもよい。以上が第一の画像（４）の説明である。
【００４０】
続いて、第二の画像（５）について説明する。第二の画像（５）は、階調が反転していない状態の第一の有意情報（９）と、階調が反転した状態の第二の有意情報（１０）を含む。すなわち、第一の実施の形態の例では、ポジ状態のアルファベットの「Ａ」の文字と、ネガ状態のアルファベットの「Ｂ」の文字を含む。第二の画像（５）の濃淡の設計は、第一の画像（４）よりもやや複雑であり、それぞれの領域の濃度は印刷画像（３）の濃度から第一の画像（４）の同一領域の濃度を差し引くことで構成する。具体的な濃度の最終方法は後述する。
【００４１】
なお、本明細書でいう「濃淡」とは任意の画像において特定の色が様々な色濃度（反射濃度）で分布する様を現し、階調と同義である。画像の特定の一点の色濃度を現す場合には、単に色濃度、濃度、あるいは反射濃度と記載する。
【００４２】
第二の画像（５）は、第一の画像（４）の形成で用いる着色インキと同じ色相の光輝性インキで形成する必要がある。これは、最終的に印刷画像（３）を形成した場合に、第一の画像（４）及び第二の画像（５）と、それぞれの第二の有意情報（１０）同士が嵌め合わさり、第一の有意情報（９）同士が重なり、二つの画像が合成されることで拡散反射光下で第二の有意情報（１０）が不可視となって隠蔽される。このためには、第一の画像（４）と第二の画像（５）が合成された状態で、それぞれの所定の領域が同じ色彩となる必要がある。
【００４３】
この色彩のうち、明度については版面設計時のそれぞれの網点面積率の大小や、印刷時のインキの膜厚の高低等の調整によって制御可能だが、少なくともインキの設計段階で二つのインキが同じ色相を有していなければ、二つの画像が嵌め合わさった場合に、同じ色彩とすることは不可能である。このため、第一の画像（６）を形成する着色インキと、第二の画像（５）の形成で用いる光輝性インキと同じ色相を有する必要がある。
【００４４】
なお、本発明でいう、「第一の画像（４）と第二の画像（５）が合成される」というのは、一部の領域（第一の有意情報（９））が重なり、また別の一部の領域（第二の有意情報（１０））が嵌め合わさって、第一の画像（４）と第二の画像（５）を刷り合わせた状態を指すこととする。したがって、第一の画像（４）の第一の有意情報（９）と第二の画像（５）の第一の有意情報（９）は、形状、大きさ及び配置位置が等しく、同様に、第一の画像（４）の第二の有意情報（１０）と第二の画像（５）の第二の有意情報（１０）も、形状、大きさ及び配置位置は等しい。よって、第一の画像（４）と第二の画像（５）が積層されると、第一の有意情報（９）及び第二の有意情報（１０）は、嵌め合わさることとなる。
【００４５】
具体的には、仮に第一の画像（４）を灰色や黒インキで形成した場合、第二の画像（５）は銀色の光輝性インキを用いればよく、また、第一の画像（４）を黄色や橙色の着色インキで形成した場合、第二の画像（５）は金色の光輝性インキを用いればよい。
【００４６】
なお、光輝性インキとは、光を強く反射する特性を備えた光輝性材料をインキ中に含んだインキである。オフセットインキとして市販されているインキとしては、メタリックインキと呼ばれる銀インキや金インキ等が存在し、特殊なパール顔料を配合したパールインキ等を用いてもよい。加えて光輝性材料の他に着色顔料を混合しても問題ない。着色顔料の色は黒や赤や青、黄色等のいずれの色相であっても何ら問題ない。ただし、過剰な量の顔料を混合した場合には、第二の画像（５）を適切な網点面積率の範囲で形成したとしても、階調表現域が拡大し過ぎて正反射光下での観察において第二の画像（５）が消失しきらない事象が生じる。よって、いずれの着色顔料を混合する場合でも、インキ中の光輝性材料の配合割合の２分の１の量を超えない範囲に止めることが望ましい。
【００４７】
前述の光輝性材料は、アルミニウム粉末、銅粉末、亜鉛粉末、錫粉末、真鍮粉末、又はリン化鉄等の一般的な金属粉顔料であってもよい。また、虹彩色パール顔料、鱗片状顔料等の一般的なパール顔料や、ガラスフレーク顔料、コレステリック液晶顔料等の機能性顔料等を用いてもよい。
【００４８】
また、本発明における「色彩」とは、色相、彩度及び明度の概念を含んで色を現したものであり、また、「色相」とは、赤、青、黄といった色の様相のことであり、具体的には、可視光領域（４００〜７００ｎｍ）の特定の波長の強弱の分布を示すものである。また、本発明における「色相が同じ」とは、二つの色において赤、青、黄といった色の様相が一致し、可視光領域の波長の強弱の分布が二つの色において相関を有することである。本発明においては、「白」「灰」「黒」等の無彩色に関しても、ひとつの同じ色相に属すると考える。
【００４９】
ここで第二の画像（５）の濃淡の構成について説明する。第二の画像（５）の濃淡は、拡散反射光下において印刷画像（３）が示す第一の有意情報（９）の濃淡から、同じ位置に重なった第一の画像（４）の濃淡を差し引くことで決定される。例として、具体的な画像と数値を挙げて、図３に示す。
【００５０】
拡散反射光下において印刷画像（３）の現す第一の有意情報（９）が、濃い部分と淡い部分の二つの濃淡で表現された二値画像であり、正反射光下において印刷画像（３）の現す第二の有意情報（１０）も同様に、濃い部分と淡い部分の二つの濃淡で表現された二値画像である例で説明する。
【００５１】
ここで、印刷画像（３）中の第一の有意情報（９）の「Ａ」を現す濃い部分（３Ａ）は、反射濃度で１．０、その他の背景を成す淡い部分（３Ｂａｃｋ）は、反射濃度で０．５であり、第一の画像（４）の第一の有意情報（９）を現す濃い部分（４Ａ）は、反射濃度０．２であり、第二の有意情報（１０）を現す濃い部分（４Ｂ）は、反射濃度で０．５であり、それ以外の背景を現す淡い部分（４Ｂａｃｋ）は、反射濃度で０であるとする。この場合、第二の画像（５）の濃淡は、印刷画像（３）から同じ領域に形成される第一の画像（４）の濃淡を差し引いた構成となることから、第二の画像（５）の中の第一の画像（４）の背景を成す淡い部分（４Ｂａｃｋ）と重なり合った領域、すなわち「Ａ」と「Ｂ」の文字以外の背景を現す領域（５Ｂａｃｋ）は、第一の画像（４）の淡い部分（４Ｂａｃｋ）の反射濃度が０であるために、印刷画像（３）の反射濃度がそのまま引き継がれる。
【００５２】
すなわち、「Ａ」と「Ｂ」の文字以外の背景を現す領域（５Ｂａｃｋ）は、反射濃度０．５となる。一方、第二の画像（５）の中のアルファベットの「Ｂ」の文字（４Ｂ）のみを現す領域（５Ｂ）は、印刷画像（３）の背景（３Ｂａｃｋ）の反射濃度０．５から、第一の画像（４）のアルファベットの「Ｂ」の文字（４Ｂ）の反射濃度０．５を引いた反射濃度、すなわち反射濃度０となる。
【００５３】
また、第二の画像（５）のアルファベットの「Ａ」の文字のみを現す領域（５Ａ）は、印刷画像（３）中の「Ａ」を現す領域（３Ａ）の反射濃度１．０から、第一の画像（４）の「Ａ」のみを現す領域（４Ａ）の反射濃度０．２を減算して、反射濃度０．８となる。最後に、第二の画像（５）のアルファベットの「Ａ」と「Ｂ」とが重なり合った領域（５ＡＢ）は、印刷画像（３）中の「Ａ」を現す領域（３Ａ）の反射濃度１．０から、第一の画像（４）の「Ｂ」のみを現す領域（４Ａ）の反射濃度０．５を減算して、反射濃度は０．５となる。
【００５４】
以上のような計算によって第二の画像（５）の濃淡が決まる。なお、第一の有意情報（９）と第二の有意情報（１０）がともに二値画像である例で説明したが、これに限定されるものではなく、多階調画像であっても何ら問題なく、同様の方法で色濃度を算出し、濃淡を設計することができる。これらの濃淡の設計は前述のような計算ではなく、画像ソフトを用いた画像処理の中で自動的に実施しても何ら問題ない。以上のように、印刷画像（３）における第一の有意情報（９）の濃淡と、第一の画像（４）における第一の有意情報（９）及び第二の有意情報（１０）の濃淡が決まれば、第二の画像（５）の濃淡は自動的に決定される。以上が第二の画像（５）の濃淡の構成の説明である。
【００５５】
第二の画像（５）の面積率の設計については、基本的には最大面積率と最小面積率の差異が大きいほうが拡散反射光下の第一の有意情報（９）の視認性や正反射光下の第二の有意情報（１０）の視認性は向上することから、第二の画像（５）中の面積率の差異が大きいことが望ましい。このため、第二の画像の面積率の最大面積率と最小面積率の差異は少なくとも５０％を超えることが望ましく、７５％であることがより望ましい。以上が第二の画像の説明である。
【００５６】
続いて、第一の画像（４）と第二の画像（５）の積層順序について図４を用いて説明する。本発明の偽造防止印刷物（１）は、図４（ａ）に示すように、基材（２）上の少なくとも一部に第二の画像（５）を印刷したのち、第一の画像（４）を印刷してもよいし、図４（ｂ）に示すように、基材（２）上の少なくとも一部に第一の画像（４）を印刷したのち、第二の画像（５）を印刷してもよく、第一の画像（４）と第二の画像（５）の印刷順序に関係無く、合成されれば画像のチェンジ効果が発現する。
【００５７】
特に、第一の実施の形態のような第一の画像（４）の「Ａ」と「Ｂ」以外の背景（４Ｂａｃｋ）が白ヌキ（面積率０％）の構成では、いずれの画像が上であっても効果にほとんど差異は生じない。逆に、第一の画像（４）の「Ａ」と「Ｂ」以外の背景（４Ｂａｃｋ）にも一定の色濃度を有する構成とした場合、図４（ｂ）の構成を用いるほうが効果的にある。これは、第一の画像（４）によって第二の画像（５）に入射する光が妨げられることがないためである。以上のように、構成に応じて積層順序を使い分けることが望ましい。
【００５８】
刷り合わせの位置関係としては、第一の画像（４）と第二の画像（５）の二つの画像の第一の有意情報（９）同士が正確に重畳され、第二の有意情報（１０）同士が正確に嵌め合わされることが要求される。ただし、刷り合わせの冗長性を確保することを目的として、それぞれの第一の有意情報（９）及び第二の有意情報（１０）の輪郭部にオーバーラップ部を設けても何ら問題ない。
【００５９】
以上の構成で作製した偽造防止印刷物（１）の効果について図５を用いて説明する。光源（６）と偽造防止印刷物（１）と観察者（７）の位置関係を、図５（ａ）に示すような、拡散反射光が支配的な観察角度（印刷物に入射する光の入射角度（α）と、観察者と印刷物とを結ぶ反射角度が大きく異なる角度（この例では０度））で観察した場合には、観察者には第一の有意情報（９）であるアルファベットの「Ａ」の文字が視認される。拡散反射光下において、第二の有意情報（１０）であるアルファベットの「Ｂ」の文字は視認できない。
【００６０】
一方、偽造防止印刷物（１）を、図５（ｂ）に示すような、正反射光が支配的な角度（印刷物に入射する光の角度（α）と、観察者（８ｂ）と印刷物とを結ぶ反射角度（β）がほぼ同じ値である角度範囲）の中で観察した場合には、第一の画像（４）の示す第一の有意情報（９）である「Ａ」の文字が完全に消失し、第二の有意情報（１０）である「Ｂ」の文字が視認される。本技術においては、基材（２）がコート紙であっても従来の技術であったような、正反射光下で第一の有意情報（９）がネガポジ反転して出現することがなく、目視上完全に消失する効果を有する。
【００６１】
本発明の二つの画像がチェンジする基本的な原理は以下のとおりである。図５（ａ）に示す拡散反射光が支配的な観察角度において、印刷画像（３）中の濃淡の違いによって第一の有意情報（９）が視認される。第一の画像（４）と第二の画像（５）は合成されることで第一の有意情報（９）の濃淡の中に第二の有意情報（１０）が隠蔽されるように濃淡が設計されることから、拡散反射光下において、第二の有意情報（１０）の存在が視認されることはなく、二つの画像の合成画像である印刷画像（３）中の第一の有意情報（９）のみが特定の色相の濃淡によって視認される。
【００６２】
一方の図５（ｂ）に示すような、正反射光が支配的な観察角度において、印刷画像（３）の中の第二の画像（５）は極めて強く光を反射するが、第一の画像（４）はほとんど反射しない（拡散反射光下の反射の状態から変化しない）。光輝性インキで構成された第一の画像（４）が入射した光を正反射することで生じる反射光は極めて強いため、観察者は、その反射光量の強弱を捉えることが不可能となり、結果として画像全体が強く光を発しているとしか認識できない状態となる（コート紙に形成した場合には、第一の有意情報（９）がネガポジ反転した状態で視認される）。
【００６３】
このため、正反射光下において第二の画像（５）は目視上、淡く変化することで濃淡が圧縮される一方で、第一の画像（４）の濃淡は変化しない。このため、第一の画像（４）のうち、着色インキによって相対的に濃い濃淡で形成された第二の有意情報（１０）は、その周囲との明度の差異によって可視化される。第一の画像（４）のうち、着色インキによって相対的に淡い濃淡で形成された第一の有意情報（９）は、第二の画像（５）の第一の有意情報（９）とその濃淡を打ち消し合う。本来であれば第二の画像（５）の第一の有意情報（９）は正反射光下において最も明度が高くなり、場合によっては正反射光下でネガポジ反転して観察者に目視されるだけの明度を有するが、第一の画像（４）の第二の有意情報（１０）の濃淡によって打ち消され、正反射光下で完全に消失する。仮に第一の有意情報（９）が完全に消失しなくとも、従来の技術と比較してコントラストが極めて小さく効果が生じる。以上の結果として、正反射光下では第二の有意情報（１０）が視認される。これが本発明の偽造防止印刷物（１）において画像のチェンジ効果が生じる原理である。
【００６４】
以上のように、本発明の構成によると、第一の有意情報（９）はそれぞれの二つの画像に付与されており、それらの重ね合わせによって構成される。このため、従来の技術と比較して第一の有意情報（９）は濃く形成可能であり、また濃く形成したにもかかわらず、正反射光下においてネガポジ反転して出現することなく消失する。このため、拡散反射光下における第一の有意情報（９）の視認性が格段に向上するとともに、正反射光下における第二の有意情報（１０）の視認性も向上する、二つの効果を同時に得ることができる。
【００６５】
なお、本発明でいう拡散反射光が支配的な角度とは、正反射光がほとんどなく、拡散反射光の割合が極めて大きな角度を指す。一方、正反射光が支配的な角度とは、拡散反射光が極めて少なく、正反射光の割合が極めて多い角度を指す。
【００６６】
発明が解決しようとする課題でも述べたが、第一の画像（４）と第二の画像（５）の合成に際して、それぞれの画像の境界部の輪郭を太らせて二つの画像同士をオーバーラップさせることで刷り合わせの冗長性を確保することができる。第一の画像（４）と第二の画像（５）の二つの画像について、光輝性インキと有色インキのインキ自体の色濃度によって適正な範囲は異なるが、具体的には０．０５ｍｍから０．２ｍｍ程度のオーバーラップした領域を設けても視認性に影響はほとんどない。
【００６７】
それぞれのインキに蛍光顔料や燐光顔料、蓄光顔料等の発光顔料やＩＲ吸収顔料、フォトクロミック顔料、示温材料、サーモクロミック材料等の機能性材料を加えてもよく、この場合、画像のスイッチ効果に加えて各種の機能性を追加することができる。
【００６８】
本発明における偽造防止印刷物の印刷方式は、オフセット印刷、フレキソ印刷、凸版印刷、グラビア印刷、スクリーン印刷、凹版印刷等のあらゆる印刷方式で形成することが可能である。また、金属インキを用いることが可能であればＩＪＰやレーザプリンタ、昇華型プリンタ等の各種デジタル出力機でも形成でき、この場合には一枚、一枚の出力物の情報を変える、いわゆる可変印刷を実施することができる。
【００６９】
本実施の形態においては、第一の有意情報（９）及び第二の有意情報（１０）に二値画像であるアルファベットを用いたが、これに限定されるものではなく、それぞれの画像に写真や絵画のような多階調画像を用いてもよい。
【００７０】
続いて、第二の実施の形態として第一の画像（４’）と第二の画像（５’）の間に、盛り上がりを有する画線によって構成された第三の画像（８’）を配した例について説明する。この場合、拡散反射光下と正反射光下で第一の有意情報（９）と第二の有意情報（１０）が視認できるだけでなく、拡散反射光と正反射光が混在する角度範囲において別の第三の有意情報（１１）が視認でき、より優れたチェンジ効果が発揮できる構成となる。具体的に以下に説明する。
（第二の実施の形態）
【００７１】
まず、第二の実施の形態の偽造防止印刷物（１’）を図６に示す。偽造防止印刷物（１’）は、基材（２’）の上に、基材（２’）と異なる色彩を有する印刷画像（３’）を有する。図６（ａ）に示す画像は、拡散反射光下において印刷画像（３’）の中に見える画像であり、図６（ｂ）に示す画像は、拡散反射光と正反射光が混在した観察角度において印刷画像（３’）の中に見える画像であって、図６（ｃ）に示す画像は、正反射光下において印刷画像（３’）の中に見える画像である。図６（ａ）に示すとおり、印刷画像（３’）は、拡散反射光下では第一の有意情報（９）を現す。
【００７２】
本実施の形態における、第一の有意情報（９）とは周囲より文字部が濃く現された、ポジ状態のアルファベットの「Ａ」の文字である。また、図６（ｂ）に示すとおり、拡散反射光と正反射光が混在する観察角度では、印刷画像（３’）は第三の有意情報（１１）を現す。本実施の形態における、第三の有意情報（１１）とはポジ状態及びネガ状態のアルファベットの「Ｃ」の文字である。最後に、図６（ｃ）に示すとおり、正反射光下では印刷画像（３’）は第二の有意情報（１０）を現す。本実施の形態における第二の有意情報（１０）とは、周囲より文字部が濃く現された、ポジ状態のアルファベットの「Ｂ」の文字である。
【００７３】
印刷画像（３’）は、図７に示すように三つの画像が合成されて成る。三つの画像とは、第一の画像（４’）、第二の画像（５’）及び第三の画像（８’）である。なお、印刷画像の濃淡の構成や、第一の画像（４’）と第二の画像（５’）の構成や濃淡、材料や作製方法等は、第一の実施の形態と同様であるため説明を省略し、ここでは第三の画像（８’）について具体的に説明する。
【００７４】
第三の画像（８’）の構成について図８を用いて説明する。第三の画像（８’）は、盛り上がりを有した画線の集合によって構成されて成る。具体的には、第三の有意情報（１１）をポジ状態で現す模様部（８Ａ’）と、第三の有意情報（１１）をネガ状態で現す背景部（８Ｂ’）から成る。
【００７５】
模様部（８Ａ’）は、盛り上がりを有した凸画線が第２の方向（図中Ｓ２方向）の画線方向を有して第１の方向（図中Ｓ１方向）に万線状に配置されて成り、背景部（８Ｂ’）は、盛り上がりを有した凸画線が第１の方向（図中Ｓ１方向）の画線方向を有して第２の方向（図中Ｓ２方向）に万線状に配置されて成る。それぞれ模様部（８Ａ’）と背景部（８Ｂ’）を構成する凸画線は、互いに重なり合うことはない。
【００７６】
なお、本発明でいう「万線状に配置」とは、凸画線が複数同じ方向に配列されている状態を示す。複数配列されている凸画線同士のピッチについては、望ましくは、同じピッチにより規則的に配列されている状態であるが、同じピッチに限定されるものでもない。
【００７７】
模様部（８Ａ’）と背景部（８Ｂ’）は、基本的にはそれぞれ同じ画線面積率で形成してもよいし、異なる画線面積率で形成してもよい。ただし、第三の画像（８’）の形成に透明又は半透明以外の着色されたインキを用いる場合には、模様部（８Ａ’）と背景部（８Ｂ’）は、それぞれ同じ画線面積率で形成する必要がある。これは、第三の画像（８’）中に含まれる第三の有意情報（１１）が拡散反射光下で可視化されるのを防ぐためである。
【００７８】
第三の画像（８’）は、盛り上がりを有する画線で構成されれば、いかなる方法で形成してもよい。すなわち、一定の盛り上がりを形成できる印刷方式である、フレキソ印刷、凸版印刷、グラビア印刷、凹版印刷、スクリーン印刷等のいかなる印刷方式で形成してもよい。盛り上がりの高さは少なくとも２μｍ以上ある必要があり、５μｍ以上であることが好ましい。
【００７９】
第三の画像（８’）は、光透過性を有していれば、いかなる色彩で形成しても問題ない。透明でも半透明でも、着色されていてもよい。ただし、入射する光を完全に吸収したり、反射したりして、下に存在する画像が視認できないほどの光遮断性を有していてはならない。
【００８０】
また、第三の画像（８’）はカラーフリップフロップ性や明暗フリップフロップ性のいずれかの特性を有していることが望ましい。カラーフリップフロップ性とは正反射光下において拡散反射光下の色相とは異なる色相に変化する特性を指し、明暗フリップフロップ性とは正反射光下において拡散反射光下の色彩から明度が変化する特性を指す。いずれの特性を有していた場合でも、第二の有意情報（１０）や第三の有意情報（１１）が出現した場合の色彩変化が大きくなり、より色彩表現が豊かになるため好ましい。
【００８１】
カラーフリップフロップ性を付与する方法としては、第三の画像（８’）を形成するインキの中に、虹彩色パール顔料、鱗片状顔料等の一般的なパール顔料や、ガラスフレーク顔料、コレステリック液晶顔料等のカラーフリップフロップ性を有する機能性顔料等を混合することが望ましい。また、明暗フリップフロップ性を付与する方法として、最も容易なのは光沢の高いメジュームを用いることである。その他、アルミニウム粉末、銅粉末、亜鉛粉末、錫粉末、真鍮粉末、又はリン化鉄等の一般的な金属粉顔料を透過性が失われない程度に混合してもよい。
【００８２】
また第三の画像（８’）を形成するインキに蛍光顔料や燐光顔料、蓄光顔料等の発光顔料やＩＲ吸収顔料、フォトクロミック顔料、示温材料、サーモクロミック材料等の機能性材料を加えてもよく、この場合、画像のスイッチ効果に加えて各種の機能性を追加することができる。以上が第三の画像（８’）の説明である。
【００８３】
続いて、第二の実施の形態における第一の画像（４’）、第二の画像（５’）及び第三の画像（８’）の積層順序について図９を用いて説明する。本発明の偽造防止印刷物（１’）は、図９（ａ）に示すように、基材（２）に第二の画像（５’）を印刷した後、第三の画像（８’）を印刷して、その後に第一の画像（４’）を印刷してもよいし、図９（ｂ）に示すように基材（２）に第一の画像（４’）を印刷した後、第三の画像（８’）を印刷して、その後に第二の画像（５’）を印刷してもよい。
【００８４】
すなわち、第三の画像（８’）を挟んで、第一の画像（４’）と第二の画像（５’）が印刷順序に関係無く、合成されれば画像のチェンジ効果が発現する。第二の実施の形態においては、図９（ｂ）の積層状態の方が拡散反射光と正反射光が混在する角度領域で出現する第三の有意情報（１１）と、正反射光下で出現する第二の有意情報（１０）の視認性が高くなることから、より望ましい。これは、第三の画像（８’）によって、第二の画像（５’）の反射率が嵩上げされるためである。ただし、図９（ａ）の積層順序であっても十分な効果は生じる。その他は第一の実施の形態と同様であることから省略する。
【００８５】
以上の構成で作製した偽造防止印刷物（１’）の効果について図１０を用いて説明する。光源（６’）と偽造防止印刷物（１’）と観察者（７’）の位置関係を、図１０（ａ）に示すような、拡散反射光が支配的な観察角度で観察した場合には、観察者には、第一の有意情報（９）であるアルファベットの「Ａ」の文字が視認される。拡散反射光下において、第二の有意情報（１０）であるアルファベットの「Ｂ」の文字及び第三の有意情報（１１）であるアルファベットの「Ｃ」の文字は視認できない。
【００８６】
一方、偽造防止印刷物（１’）を、図１０（ｂ）に示すような、拡散反射光と正反射光が混在する角度（印刷物に入射する光の角度（α）と、観察者（７’）と印刷物（１’）とを結ぶ反射角度（β）が近い値である角度範囲）の中で観察した場合には、第一の画像（４’）の示す第一の有意情報（９）である「Ａ」の文字が完全に消失し、第三の有意情報（１１）である「Ｃ」の文字が視認される。この「Ｃ」の文字は入射する光の角度が変化することでネガポジ反転する。
【００８７】
最後に、正反射光が支配的な角度の中で観察した場合には、第一の画像（４’）の示す第一の有意情報（９）である「Ａ」や第三の画像（８’）が現す第三の有意情報（１１）である「Ｃ」の文字が完全に消失し、第二の有意情報（１０）である「Ｂ」の文字が視認される。本技術においては、基材（２’）がコート紙であっても従来の技術であったような、正反射光下で第一の有意情報（９）がネガポジ反転して出現することがなく、目視上完全に消失する効果を有する。以上が本発明の効果である。
【００８８】
続いて、前述の効果が生じる原理について説明する。図１０（ａ）に示す拡散反射光が支配的な観察角度において、印刷画像（３’）中の濃淡の違いによって第一の有意情報（９）が視認される。第一の画像（４’）と第二の画像（５’）は合成されることで第一の有意情報（９）の濃淡の中に第二の有意情報（１０）が隠蔽されるように濃淡が設計されることから、拡散反射光下において第二の有意情報（１０）の存在が視認されることはなく、また、第三の画像（８’）は無色透明・半透明か、着色されている場合でも模様部（８Ａ’）と背景部（８Ｂ’）の面積率が同じ画線設計であるため、この角度領域では不可視である。よって、印刷画像（３’）中には、第一の有意情報（９）のみが特定の色相の濃淡によって視認される。
【００８９】
図１０（ｂ）に示すような、拡散反射光と正反射光が混在する観察角度では、物体の立体構造が最も強調される。印刷画像（３’）の中で第三の画像（３’）のみが盛り上がりのある画線によって構成されており、この観察角度において盛り上がりのある画線のそれぞれの画線方向の違いによって反射光量の強弱が生じ、結果として第三の有意情報（１１）が出現する。入射する光と画線方向が平行な関係に近い画線がより強く光を反射するため、入射する光の角度に応じて模様部（８Ａ’）が強く光るか、背景部（８Ｂ’）が強く光るかが変化し、画像のネガポジ反転の効果が生じる。この観察角度において、第二の有意情報（１０）は可視化される場合があるものの、そのコントラストは第三の有意情報（１１）のコントラストと比較して相対的に極めて小さいため、結果として第三の有意情報（１１）のみが視認される。
【００９０】
図１０（ｃ）に示すような正反射光が支配的な観察角度では、物体の立体構造よりもそれぞれの画像を構成する材料の反射率の違いが最も強調される。このため、第一の実施の形態と同様に第二の画像（５’）と第三の画像（８’）は極めて強く光を反射するが、第一の画像（４’）はほとんど反射せず、結果として第二の有意情報（１０）が視認される。これが、本発明の偽造防止印刷物（１’）において画像のチェンジ効果が生じる原理である。
【００９１】
なお、本発明でいう「拡散反射光と正反射光が混在する観察角度」とは、拡散反射光が支配的な角度や正反射光が支配的な角度と異なり、拡散反射光と正反射光が同等程度存在している角度領域を指す。
【００９２】
以下、前述の発明を実施するための形態に従って、具体的に作製した偽造防止印刷物（１）の実施例について詳細に説明するが、本発明は、この実施例に限定されるものではない。
【実施例１】
【００９３】
本発明の実施例１について、第一の実施の形態と同様に、図１から図５を用いて説明をする。本実施例１では、基材（２）として白色のコート紙（エスプリコートＦＭ  日本製紙株式会社製）を用いた。
【００９４】
第一の画像（４）は、灰色のマットな有色インキ（ＵＶＬ  特練  Ｐ４２０Ｃ  マットグレー  株式会社Ｔ＆Ｋ  ＴＯＫＡ社製）で印刷し、第二の画像（５）は光輝性インキとして銀インキ（ＵＶ  Ｎｏ．３  シルバー  株式会社Ｔ＆Ｋ  ＴＯＫＡ社製）を用いて印刷した。二つの画像は、図４（ｂ）に示す積層順序で合成して印刷画像（３）を形成した。それぞれの画像の濃度は、図３に記載の濃度とした。灰色のマットな有色インキは、銀インキの約３分の１程度の反射濃度であった。
【００９５】
図５に本発明の偽造防止印刷物（１）の効果を記す。図５（ａ）は、観察者が拡散反射光下で本偽造防止印刷物（１）を観察した場合に観察される画像であり、印刷画像（３）の中には第一の有意情報（９）であるアルファベットの「Ａ」の文字が視認された。一方、図５（ｂ）に示すように、観察者が、正反射光が支配的な特定の観察角度で偽造防止印刷物（１）を観察した場合、印刷画像（３）の中から「Ａ」の文字は消失し、代わりに第二の有意情報（１０）であるアルファベットの「Ｂ」の文字が視認された。このとき、従来の技術にあったような第一の有意情報（９）である「Ａ」の文字がネガポジ反転して出現することはなかった。
【符号の説明】
【００９６】
１、１’  偽造防止印刷物
２、２’  基材
３、３’  印刷画像
４、４’  第一の画像
５、５’  第二の画像
６、６’  光源
７        観察者の視点
８’      第三の画像
８Ａ’    模様部
８Ｂ’    背景部
９        第一の有意情報
１０      第二の有意情報
１１      第三の有意情報
【図１】
2017065185.tif 000003
【図２】
2017065185.tif 000004
【図３】
2017065185.tif 000005
【図４】
2017065185.tif 000006
【図５】
2017065185.tif 000007
【図６】
2017065185.tif 000008
【図７】
2017065185.tif 000009
【図８】
2017065185.tif 000010
【図９】
2017065185.tif 000011
【図１０】
2017065185.tif 000012
【図１１】
2017065185.tif 000013